【事件の表示】
　特許第２６８７２３８号「防水層の保護層構造とその工法」の請求項１ないし７に係る特許に対する特許異議の申立てについて、次のとおり決定する。
【結論】
　訂正を認める。
　特許第２６８７２３８号の請求項１ないし２に係る特許を維持する。
【理由】
Ｉ．手続きの経緯
　本件特許第２６８７２３８号の請求項１〜請求項７に係る発明は、平成１年５月１１日に特許出願され、平成９年８月２２日にその特許権の設定の登録がなされ、その後、日新工業株式会社より請求項１〜請求項７に係る発明の特許について特許異議の申立がなされ、当審において、請求項１〜請求項７に係る発明の特許について取消理由通知がなされたところ、その指定期間内である平成１１年８月１０日に訂正請求がなされたものである。
ＩＩ．訂正の適否についての判断
１．訂正の内容
　特許権者が求めている訂正の内容は、特許明細書（特許査定時の明細書）の特許請求の範囲の請求項の記載を、次のように訂正するというものである。
　【請求項１】　防水層の表面に貼付した帯状成形板により方形状に区画形成された複数の囲繞部と、前記囲繞部において防水層表面に貼付され前記帯状成形板と同一厚さを有する方形状成形板と、各囲繞部において帯状成形板と方形状成形板との間隙に前記帯状成形板と同一厚さに積層塗布された砂、セラミック粒等の小粒体を接着剤でからめた混合材から形成される透水性保護層とからなり、前記各成形板は可撓牲を有する合成樹脂板と、この合成樹脂板の表面に接着剤で塗布形成した砂利またはセラミック粒層と、裏面に設けた接着剤層とから構成したことを特徴とする防水層の保護層構造。
　【請求項２】　イ．防水層表面にチョークラインで所定間隔で印を付け、方形状の区画を複数描画する工程、
　ロ．前記チョークライン上に帯状成形板を貼付して方形状に区画形成された囲繞部を複数形成する工程、
　ハ．前記囲繞部に防水層表面に貼付され前記帯状成形板と同一厚さを有する方形状成形板を貼付する工程、
　ニ．帯状成形板と方形状成形板との間または各成形板と防水層表面終端との間に接着剤をからめた天然石あるいは人造石等からなる小粒体を充填積層し、各成形板と同一の厚さにレベル調整して防水層表面に透水性保護層を形成する工程、
　以上の工程からなり、前記帯状成形板と方形状成形板とは、可撓性を有する合成樹脂板と、この合成樹脂板の表面に接着剤で塗布形成した砂利またはセラミック粒層と、裏面に設けた接着剤層とから構成されていることを特徴とする防水層の保護層形成工法。
２．訂正の目的の適否、新規事項の有無、および拡張・変更の存否
　上記１．の特許請求の範囲の請求項１及び請求項２の訂正は、特許請求の範囲の減縮に相当し、また、実質上特許請求の範囲を拡張し、又は変更するものではない。
　そして、この訂正事項は、願書に添付した明細書又は図面に記載されている事項の範囲内の訂正である。
３．独立特許要件
（１）．訂正明細書の請求項１及び請求項２に係る発明
　本件訂正明細書の請求項１及び請求項２に係る発明は、その特許請求の範囲の請求項１及び請求項２に記載された次のとおりのものである。
　【請求項１】　防水層の表面に貼付した帯状成形板により方形状に区画形成された複数の囲繞部と、前記囲繞部において防水層表面に貼付され前記帯状成形板と同一厚さを有する方形状成形板と、各囲繞部において帯状成形板と方形状成形板との間隙に前記帯状成形板と同一厚さに積層塗布された砂、セラミック粒等の小粒体を接着剤でからめた混合材から形成される透水性保護層とからなり、前記各成形板は可撓牲を有する合成樹脂板と、この合成樹脂板の表面に接着剤で塗布形成した砂利またはセラミック粒層と、裏面に設けた接着剤層とから構成したことを特徴とする防水層の保護層構造。
　【請求項２】　イ．防水層表面にチョークラインで所定間隔で印を付け、方形状の区画を複数描画する工程、
　ロ．前記チョークライン上に帯状成形板を貼付して方形状に区画形成された囲繞部を複数形成する工程、
　ハ．前記囲繞部に防水層表面に貼付され前記帯状成形板と同一厚さを有する方形状成形板を貼付する工程、
　ニ．帯状成形板と方形状成形板との間または各成形板と防水層表面終端との間に接着剤をからめた天然石あるいは人造石等からなる小粒体を充填積層し、各成形板と同一の厚さにレベル調整して防水層表面に透水性保護層を形成する工程、
　以上の工程からなり、前記帯状成形板と方形状成形板とは、可撓性を有する合成樹脂板と、この合成樹脂板の表面に接着剤で塗布形成した砂利またはセラミック粒層と、裏面に設けた接着剤層とから構成されていることを特徴とする防水層の保護層形成工法。
（２）．各刊行物（甲各号証）に記載の発明
　特許異議申立人が提出した甲第２号証であって、当審の取消理由通知において刊行物１として引用した「アスファルト防水　仕様書」、東西アスファルト事業協同組合、昭和６３年５月発行の第９４頁には、商業ビルの屋上やベランダなどの防水層の上面に施工されて防水層の保護層となり、さらにその保護層は透水性にすぐれ、その上面を遊歩道として利用できる歩行用屋根防水の仕上材としての「三星ステップ」に関して、
　「三星ステップは、天然砂粒と合成高分子系の材料を使ったカラフルな仕上材で、工場成型タイプの板状成型品と現場調合の塗りタイプがあり、これを組み合わせることで、デザイン性豊かな美しい屋上に仕上げられます。板状成型品の目地部分を別の色で仕上げることもできますし、中央平面部を板状成型品で貼り、出隅入隅や手摺架台周辺部などを塗りタイプで仕上げる使い方もできます。
三星ステップの特長
・透水性にすぐれていますから雨水がたまることがありません。
・適度の弾力性があり、滑り抵抗性があるので歩行感がよく、滑りません。
・薄くて軽い板状成型品ですから防水層に負担をかけません。
・表面が砂粒状で重厚な仕上がりです。
・熱、紫外線、外力から防水層を保護します。」
と記載されている。
　さらに、同刊行物１の第７頁及び第９４頁には、複数個の工場成型タイプの板状成型品の周りを、現場調合の塗りタイプの三星ステップで施工したものが写真掲載されている。
　同じく特許異議申立人が提出した甲第３号証であって、当審の取消理由通知において刊行物２として引用した実願昭５３−８５５２８号（実開昭５５−４１４４号）のマイクロフイルムには、コンクリート舗装体に関して、区画枠２の中に、コンクリートを区画枠の上面と同一になるように充填する技術が記載されている。
　同じく特許異議申立人が提出した甲第４号証であって、当審の取消理由通知において刊行物３として引用した実願昭５３−１７３７４１号（実開昭５５−９０４３９号）のマイクロフイルムには、建物の屋根の防水層を保護する板状体からなる防水層保護板に関して、板状体１の防水層側へ接着させる部分（裏面）に、剥離シート５を備えたアスファルト４を設け、表面には鉱物粉を付着させた防水層保護板が記載されている。
　同じく、特許異議申立人が甲第１号証として提出した「月刊　防水ジャーナル　１９８８年８月号」、第１９巻・第８号、有限会社新樹社、昭和６３年８月５日発行の裏表紙（以下、「刊行物４」という。）には、大文字で、新製品「押え防水をカラフルに三星ステップ」と記載され、「押え防水に色彩とデザイン性をもたせた化粧押え用の新製品「三星ステップ」や・・・の採用」という記載がある。
（３）．対比、判断
　訂正明細書の請求項１及び請求項２に係る発明（以下、「訂正発明１及び訂正発明２」という。）と、上記各刊行物に記載の発明とを対比する。
（イ）訂正発明１について
　訂正発明１と、上記刊行物１に記載の発明とを対比すると、刊行物１の三星ステップには、工場成型タイプの板状成型品と現場調合の塗りタイプがあり、これらを組み合わせることで防水層の保護層を形成しているものであり、また、天然砂粒と合成高分子系の材料（合成樹脂接着剤のこと）を使った三星ステップが、天然砂粒に接着剤をからめた透水性の保護層を形成する混合材であること、及び、板状成型品とその周りの現場調合の混合材とが同一厚さに施工されているのは明らかであるから、両発明は、次の（ａ）及び（ｂ）の点で構成が相違しており、他の構成には両発明の間に格別の差異は認められない。
（ａ）透水性保護層が、本件訂正発明１では、防水層の表面に貼付した帯状成形板により方形状に区画形成された複数の囲繞部と、前記囲繞部において防水層表面に貼付され前記帯状成形板と同一厚さを有する方形状成形板と、各囲繞部において帯状成形板と方形状成形板との間隙に前記帯状成形板と同一厚さに積層塗布された砂、セラミック粒等の小粒体を接着剤でからめた混合材から形成される（以下、「構成Ａ」という。）のに対して、刊行物１の発明では、防水層の表面に、複数個の工場成型タイプの板状成型品を配置し、これら板状成型品の周りに、板状成型品と同一厚さに天然砂粒に接着剤をからめた混合材を積層して形成している点。
（ｂ）帯状成形板と方形状成形板が、本件訂正発明１では、可撓牲を有する合成樹脂板と、この合成樹脂板の表面に接着剤で塗布形成した砂利またはセラミック粒層と、裏面に設けた接着剤層とから構成される（以下、「構成Ｂ」という。）のに対して、刊行物１の発明の工場成型タイプの板状成型品は、天然砂粒に接着剤をからめた混合材で構成される点。
　そこで、これら相違を刊行物２〜刊行物４に記載の発明をもとに検討する。
　刊行物２には、コンクリート舗装体に関して、区画枠２の中に、コンクリートを区画枠の上面と同一になるように充填する技術が記載されているだけで、本件訂正発明１の上記「構成Ａ」及び「構成Ｂ」については、何も記載されていない。
　刊行物３には、建物の屋根の防水層を保護する板状体からなる防水層保護板に関して、板状体１の防水層側へ接着させる部分（裏面）に、剥離シート５を備えたアスファルト４を設け、表面には鉱物粉を付着させた防水層保護板が記載されているだけで、本件訂正発明１の上記「構成Ａ」及び「構成Ｂ」については、何も記載されていない。
　刊行物４には、大文字で、新製品「押え防水をカラフルに三星ステップ」と記載され、「押え防水に色彩とデザイン性をもたせた化粧押え用の新製品「三星ステップ」や・・・の採用」という記載があるだけで、本件訂正発明１の上記「構成Ａ」及び「構成Ｂ」については、何も記載されていない。
　以上のように、刊行物１〜刊行物４のいずれにも、本件訂正発明１が採用した上記「構成Ａ」及び「構成Ｂ」が記載されておらず、これら構成には技術的意義が認められ、しかも、自明あるいは周知の構成とも認められないから、本件訂正発明１が、刊行物１〜刊行物４に記載の発明と同一の発明とはいえず、また刊行物１〜刊行物４に記載の発明に基づいて当業者が容易に発明をすることができたものとは認められない。
（ロ）訂正発明２について
　訂正発明２と、上記刊行物１に記載の発明とを対比すると、刊行物１の三星ステップには、工場成型タイプの板状成型品と現場調合の塗りタイプがあり、これらを組み合わせることで、防水層の保護層を形成しているものであり、天然砂粒と合成高分子系の材料（合成樹脂接着剤のこと）を調合した三星ステップが、天然砂粒に接着剤をからめた透水性の保護層を形成する混合材であること、及び、板状成型品とその周りの混合材とが同一厚さに施工されているのは明らかであるから、両発明は、次の（ａ）及び（ｂ）の点で構成が相違しており、他の構成には両発明の間に格別の差異は認められない。
（ａ）訂正発明２の防水層の保護層形成工法が、
イ．防水層表面にチョークラインで所定間隔で印を付け、方形状の区画を複数描画する工程、
ロ．前記チョークライン上に帯状成形板を貼付して方形状に区画形成された囲繞部を複数形成する工程、
ハ．前記囲繞部に防水層表面に貼付され前記帯状成形板と同一厚さを有する方形状成形板を貼付する工程、
ニ．帯状成形板と方形状成形板との間または各成形板と防水層表面終端との間に接着剤をからめた天然石あるいは人造石等からなる小粒体を充填積層し、各成形板と同一の厚さにレベル調整して防水層表面に透水性保護層を形成する工程、という構成（以下、「構成Ｃ」という。）を有するのに対して、刊行物１の発明の防水層の保護層形成方法は、防水層の表面に、複数個の工場成型タイプの板状成型品を配置し、これら板状成型品の周りに、板状成型品と同一厚さに天然砂粒に接着剤をからめた混合材を積層して形成している点。
（ｂ）帯状成形板と方形状成形板が、本件訂正発明２では、可撓牲を有する合成樹脂板と、この合成樹脂板の表面に接着剤で塗布形成した砂利またはセラミック粒層と、裏面に設けた接着剤層とから構成される（以下、「構成Ｂ」という。）のに対して、刊行物１の発明の工場成型タイプの板状成型品は、天然砂粒に接着剤をからめた混合材で構成される点。
　そこで、これら相違を刊行物２〜刊行物４に記載の発明をもとに検討する。
　刊行物２には、コンクリート舗装体に関して、区画枠２の中に、コンクリートを区画枠の上面と同一になるように充填する技術が記載されているだけで、本件訂正発明２の上記「構成Ｃ」及び「構成Ｂ」については、何も記載されていない。
　刊行物３には、建物の屋根の防水層を保護する板状体からなる防水層保護板に関して、板状体１の防水層側へ接着させる部分（裏面）に、剥離シート５を備えたアスファルト４を設け、表面には鉱物粉を付着させた防水層保護板が記載されているだけで、本件訂正発明２の上記「構成Ｃ」及び「構成Ｂ」については、何も記載されていない。
　刊行物４には、大文字で、新製品「押え防水をカラフルに三星ステップ」と記載され、「押え防水に色彩とデザイン性をもたせた化粧押え用の新製品「三星ステップ」や・・・の採用」という記載があるだけで、本件訂正発明２の上記「構成Ｃ」及び「構成Ｂ」については、何も記載されていない。
　以上のように、刊行物１〜刊行物４のいずれにも、本件訂正発明２が採用した上記「構成Ｃ」及び「構成Ｂ」が記載されておらず、これら構成には技術的意義が認められ、しかも、自明あるいは周知の構成とも認められないから、本件訂正発明２が、刊行物１〜刊行物４に記載の発明と同一の発明とはいえず、また刊行物１〜刊行物４に記載の発明に基づいて当業者が容易に発明をすることができたものとは認められない。
　以上のとおりであるから、訂正発明１及び訂正発明２は、特許出願の際独立して特許を受けることができるものである。
４．むすび
　以上のとおり、上記訂正は、特許法等の一部を改正する法律（平成６年法律第１１６号）附則第６条第１項の規定によりなお従前の例によるとされる、特許法第１２０条の４第２項及び同条第３項で準用する同法第１２６条第２〜４項の規定に適合するので、当該訂正を認める。
ＩＩＩ．特許異議申立についての判断
１．本件発明
　本件特許第２６８７２３８号の請求項１及び請求項２に係る発明は、訂正明細書の特許請求の範囲の請求項１及び請求項２に記載された上記ＩＩ．の３．の（１）．の「訂正明細書の請求項１及び請求項２に係る発明」に示したとおりのもの（以下、「本件発明１及び本件発明２」という。）である。
２．異議申立の理由の概要
　特許異議申立人　日新工業株式会社は、証拠方法として、
　甲第１号証（「月刊　防水ジャーナル　１９８８年８月号」、第１９巻・第８号、有限会社新樹社、昭和６３年８月５日発行、特に裏表紙）、
　甲第２号証（「アスファルト防水　仕様書」、東西アスファルト事業協同組合、昭和６３年５月発行、特に第７頁及び第９４頁）
　甲第３号証（実願昭５３−８５５２８号（実開昭５５−４１４４号）のマイクロフイルム）、及び
　甲第４号証（実願昭５３−１７３７４１号（実開昭５５−９０４３９号）のマイクロフイルム）を提出し、
（１）本件特許明細書の請求項１の発明は、甲第１号証と甲第２号証に記載された公知技術と同一の発明であるから、特許法第２９条第１項第１号に違反する発明である。或はそうでなくとも、甲第１号証と甲第２号証に記載された公知技術に基づいて当業者が容易に発明することのできた発明であるから、特許法第２９条第２項に違反する発明である。
（２）同請求項２の発明は、甲第２号証に記載された公知技術と同一であるか、或はそうでなくとも、甲第３号証の考案に甲第２号証に記載の公知技術を組み合わせて、当業者が容易に創作することのできた発明であるから、特許法第２９条第１項第１号、或は特許法第２９条第２項の規定に違反する発明である。
（３）同請求項３の発明は、甲第１号証と甲第２号証に記載された公知技術と同一の発明であるか、或はそうでなくとも甲第１号証と甲第２号証に記載された公知技術、又は甲第１号証乃至甲第３号証に記載の公知技術、考案に基づいて当業者が容易に創作することのできた発明であるので、特許法第２９条第１項第１号、或は特許法第２９条第２項に違反する発明である。
（４）同請求項４の発明は、甲第１号証乃至甲第４号証に記載の公知技術、考案に基づいて当業者が容易に創作することのできた発明であるので、特許法第２９条第２項に違反する発明である。
（５）同請求項５の発明は、甲第１号証と甲第２号証こ記載された公知技術と実質的に同一の発明であるか、或は甲第１号証乃至甲第３号証に記載された公知技術と考案に基づいて当業者が容易に創作することのできた発明であるので、特許法第２９条第１項第１号、或は特許法第２９条第２項の規定に違反する発明である。
（６）同請求項６の発明は、甲第１号証と甲第２号証に記載された公知技術と実質的に同一の発明であるか、或は甲第１号証乃至甲第３号証に記載された公知技術と考案に基づいて当業者が容易に創作することのできた発明であるので、特許法第２９条第１項第１号、或は特許法第２９条第２項の規定に違反する発明である。
（７）同請求項７の発明は、甲第１号証乃至甲第４号証に記載の公知技術、考案に基づいて当業者が容易に創作することのできた発明であるので、特許法第２９条第２項に違反する発明である。
　よって、本件特許発明は特許法第１１３条第２号の規定により取り消されるべきである、と主張している。
３．甲各号証の記載事項
　特許異議申立人の提出した甲第１号証〜甲第４号証には、上記ＩＩ．の３．の（２）．の「各刊行物（甲各号証）に記載の発明」に示したとおりの発明が記載されている。
４．対比、判断
（１）．本件発明１及び本件発明２について
　本件発明１及び本件発明２と、甲第１号証〜甲第４号証に記載の発明とを対比すると、上記ＩＩ．の３．の（３）．の「対比、判断」についての判断で示したのと同様の理由により、本件発明１及び本件発明２が、甲第１号証（刊行物４）、あるいは甲第２号証（刊行物１）に記載された発明と同一の発明とはいえないし、また、甲第１号証〜甲第４号証（刊行物４、１〜３）に記載の発明に基づいて当業者が容易に発明をすることができたものとも認められないから、特許異議申立人の上記主張は採用できない。
ＩＶ．むすび
　以上のとおりであるから、特許異議申立人の異議申立ての理由、及び提出した証拠方法によっては、本件発明１及び本件発明２の特許を取り消すことはできない。
　また、他に本件発明１及び本件発明２の特許を取り消すべき理由を発見しない。
　よって、結論のとおり決定する。
【異議決定日】
平成１１年１２月１６日（１９９９．１２．１６）
【訂正の要旨】
　訂正の要旨
　特許第２６８７２３８号発明の明細書中特許請求の範囲の請求項１〜７の記載を、特許請求の範囲の減縮を目的として、次のように訂正する。
　【請求項１】　防水層の表面に貼付した帯状成形板により方形状に区画形成された複数の囲部と、前記囲繞部において防水層表面に貼付され前記帯状成形板と同一厚さを有する方形状成形板と、各囲繞部において帯状成形板と方形状成形板との間隙に前記帯状成形板と同一厚さに積層塗布された砂、セラミック粒等の小粒体を接着剤でからめた混合材から形成される透水性保護層とからなり、前記各成形板は可撓牲を有する合成樹脂板と、この合成樹脂板の表面に接着剤で塗布形成した砂利またはセラミック粒層と、裏面に設けた接着剤層とから構成したことを特徴とする防水層の保護層構造。
　【請求項２】　イ．防水層表面にチョークラインで所定間隔で印を付け、方形状の区画を複数描画する工程、
　ロ．前記チョークライン上に帯状成形板を貼付して方形状に区画形成された囲繞部を複数形成する工程、
　ハ．前記囲繞部に防水層表面に貼付され前記帯状成形板と同一厚さを有する方形状成形板を貼付する工程、
　ニ．帯状成形板と方形状成形板との間または各成形板と防水層表面終端との間に接着剤をからめた天然石あるいは人造石等からなる小粒体を充填積層し、各成形板と同一の厚さにレベル調整して防水層表面に透水性保護層を形成する工程、
　以上の工程からなり、前記帯状成形板と方形状成形板とは、　可撓性を有する合成樹脂板と、この合成樹脂板の表面に接着剤で塗布形成した砂利またはセラミック粒層と、裏面に設けた接着剤層とから構成されていることを特徴とする防水層の保護層形成工法。
（５４）【発明の名称】
防水層の保護層構造とその工法
（５７）【特許請求の範囲】
（１）　防水層の表面に貼付した帯状成形板により方形状に区画形成された複数の囲繞部と、前記囲繞部において防水層表面に貼付され前記帯状成形板と同一厚さを有する方形状成形板と、各囲繞部において帯状成形板と方形状成形板との間隙に前記帯状成形板と同一厚さに積層塗布された砂、セラミック粒等の小粒体を接着剤でからめた混合材から形成される透水性保護層とからなり、前記各成形板は可繞性を有する合成樹脂板と、この合成樹脂板の表面に接着剤で塗布形成した砂利またはセラミック粒層と、裏面に設けた接着剤層とから構成したことを特徴とする防水層の保護層構造。
（２）
　イ．防水層表面にチョークラインで所定間隔で印を付け、方形状の区画を複数描画する工程、
　ロ．前記チョークライン上に帯状成形板を貼付して方形状に区画形成された囲繞部を複数形成する工程、
　ハ．前記囲繞部に防水層表面に貼付され前記帯状成形板と同一厚さを有する方形状成形板を貼付する工程、
　ニ．帯状成形板と方形状成形板との間または各成形板と防水層表面終端との間に接着剤をからめた天然石あるいは人造石等からなる小粒体を充填積層し、各成形板と同一の厚さにレベル調整して防水層表面に透水性保護層を形成する工程、
　以上の工程からなり、前記帯状成形板と方形状成形板とは、可撓性を有する合成樹脂板と、この合成樹脂板の表面に接着剤で塗布形成した砂利またはセラミック粒層と、裏面に設けた接着剤層とから構成されていることを特徴とする防水層の保護層形成工法。
【発明の詳細な説明】
［産業上の利用分野］
　この発明は、建造物、その他における露出平面の防水層上に設けられる保護層の構造とその形成工法に関するものである。
［従来の技術］
　例えば、建造物の屋上、テラス等、雨水に対する露出平面にはアスファルトその他によって防水層が形成されている。そして、状況によっては、この防水層の上面にその保護層が形成される。
　このような保護層としては、従来、防水層の表面に砂利を単に載置するか、あるいは、コンクリート層を形成する等の工法が採用されていた。
　しかしながら、前者にあっては、保護層上を歩行できない、砂利が風によって飛散する等の欠点がある。また、後者には、工事が大がかりになる、重量が大きく構造によっては施工が不可能であったり、その無彩色性の故に建造物等のデザインと調和しない等の不都合が生じる。
　これらの欠点を是正するため、最近では玉砂利を接着剤で連結積層して、防水層の保護層を形成する技術が提案されている。すなわちこの技術は、所定の粒径を有する砂利をポリウレタン系の接着剤でからめて屋上などの防水層面に積層するものであるが、各砂利間に空隙が生じ、この空隙が連続して導水路が形成されるので、良好な透水性が得られるうえ、砂利は固化かして弾性を有するバインダーにより連結されているので、可撓性を有し、しかも歩行に耐え、美観に優れた保護層を得ることができる。
［発明が解決しようとする課題］
　ところで、前述の従来技術にあっては、保護層の形成は洗浄して乾燥させた砂利にポリウレタン系などの合成樹脂接着剤をからめ、これを防水層の上面に塗布積層する構成になっている。
　ところが、この砂利層の層厚は、８ないし１０ｍｍと比較的薄いうえ、砂利は粘度の高い接着剤とからまっているため、全面にわたって均一な層を形成し難く、特に塗布面が広い場合にはその困難度が大きくなる。
　このため、砂利の塗布積層にあたっては、非常に熟練度を要する上、完成した層が所定厚の均一面になっているか否かを探針法や電通法によって検査しなければならなかった。
［課題を解決するための手段］
　この発明は、建造物の屋上面その他の防水層表面に、所定形状の成形板を単数または複数適宜に点在貼付し、成形板と成形板との間または成形板と防水層表面終端との間に接着剤をからめた天然石あるいは人造石等からなる小粒体を成形板と同一の厚さに充填積層して透水性保護層を防水槽全面に形成することにより上記従来の課題を解決しようとするものである。
［作用］
　この発明に係る防水層の保護層にあっては、保護層表面は、埋設された成形板の配置を考慮することによって変化に富んだ美観が得られるうえ、成形板によって囲繞部を形成してこれに接着剤をからめた天然石あるいは人造石等からなる小粒体を充填積層して透水性保護層を形成する場合には補修工事等も区画単位でなし得るので短い工期、低廉なコストでなすことができる。
　一方、この発明に係る保護層の形成工法にあっては、保護層の層厚の調整は、成形板の厚さを基準にして為せば良いので、迅速、正確、簡便に施工することが可能となり、短い工期で所望の保護層を形成することができる。
［発明の実施例］
　図面に基いて、この発明の実施例を説明する。第１図は、この発明の１実施例を示す図である。図において、２は建造物の屋上その他における防水層四の上面に形成された透水性保護層、３は同じく防水層四の上面に、点在貼付された角型の成形板である。
　透水性保護層２は、接着剤をからめた天然石あるいは人造石等からなる小粒体、具体的には砂、セラミック粒等の小粒体を積層して形成されていて、各小粒体間には導水路としての空隙が形成され透水性を有するようになっている。一方、成形板３は、透水性保護層２と同様に、砂、セラミック粒等の小粒体を接着剤でからめ成型してあり、裏面には、剥離紙を具えた接着層が設けられている。そして、この成形板３は、予め工場生産され、その形状は、方形、円形、多角形等、必要に応じて種々様々であり、厚さも保護層２の厚さに応じて設定されることになるが、この実施例では約八ｍｍとなっている。
　施工にあたっては、まず、成形板３の剥離紙をはがして、防水層４の上面に適宜の数点在貼付する。
　ついで、砂、セラミック粒等の小粒体を接着剤でからめた混合材を、防水層４の全面（成形板３の部分を除く）に、成形板３と同一の厚さとなるように積層塗布する。換言すれば、透水性保護層２の厚さは、成形板３の厚さを基準にしてレベル調整されることになり、砂、セラミック粒等の小粒体を接着剤でからめた混合材の積層は、あたかも点在する成形板３の間を充填するように行われることとなる。したがって、透水性保護層２のレベル調整を正確、迅速しかも容易になすには、各成形板３の間隔は２ｍ以下が望ましい。
　次に、第２図ないし第３図に基いてこの発明の他の実施例を説明する。
　第２図において、Ａは建造物の屋上その他における防水層４の上面に形成された防水層保護層、３１は防水層４の上面に貼付された帯状の成形板、２は、帯状の成形板３１による方形状の囲繞部に積層塗布された砂、セラミック粒等の小粒体を接着剤でからめた混合材で形成された透水性保護層である。また３２は正方形状をなし、前記囲繞部において防水層４の表面に貼付された成形板で、帯状の成形板３１と同一の厚みを有している。帯状の成形板３１と方形の成形板３２は、第２図に示すように、可撓性を有する合成樹脂板３１ｂ、３２ｂと、この表面に接着剤で塗布形成した砂利層（セラミック粒層でも良い）３１ａ、３２ａと、裏面に設けた接着剤層３１ｃ、３２ｃとで構成され、接着剤層３１ｃ、３２ｃには、剥離紙（不図示）が貼付されている。
　なお、成形板３１は、この実施例では、厚さ８ｍｍで１００×９５０ｍｍの帯状をなし、表面に塗布される砂利等は、彩色されたものも用意されている。また、成形板３２は、厚さ、８ｍｍで３００×３００の正方形状をなしているが、形状寸法はこのように限定される必要はない。なお、成形板３１と同様に彩色されたものが用意されている。
　次に、第４図以下に基いて屋上を例にした場合の保護層Ａの施工工程を説明する。
　まず、施工前に全体のバランスを考慮して、色、配置等を検討し、これにしたがって割り付けを行い、第４図に示すようにチョークラインで２ｍ間隔の印をつける。次いで、帯状成形板３１の裏面についている剥離しをはがしチョークラインに合せて防水層表面に貼りつけ、圧着して正方形状の囲繞部５を形成する。（第５図）
　防水層４を例えば砂付きルーフィングで形成した場合には、そのサイドラップ、エンドラップ等に保護テープ６を貼付しデザインその他、必要に応じて成形板３２を囲繞部５における防水層４の上面の適宜位置に貼付する（第６図）。
　つぎに、第７図に示すように、ミキサーＭで彩色玉砂利５ａとポリウレタン系接着剤とを撹拌混合する。
　玉砂利５ａと接着剤との混合材は、蓋つきのポリバケツ等の容器に移し施工現場に運ぶ。
　保護テープ６の上側剥離紙６ａをはがし、その接着剤層を露出させ、上記の玉砂利と接着剤の混合材を第８図に示すように成形板３１で囲まれた枠内にあけ、これをトンボなどで押広げるようにならし、成形板３１、３２の厚みに合せて電熱コテ７や左官コテ等で均一に仕上げる（第９図）。　なお、電熱コテの表面の温度は、１２０℃〜１８０℃が適当である。
　以上述べた実施例では、保護層は囲繞部５毎に区画形成されているので、補修、改修時には必要な区画部分のみを為せば良いので工期も短く、費用も低廉ですむ。
　上述の各実施例では、建造物の屋上の防水層上面における場合を述べたが、この発明は、この他にベランダ、玄関周り、通路等にも適用しうることは言うまでもない。
［発明の効果］
　この発明は、以上述べた構成作用により建造物その他の防水層に、透水性を有し、水溜りが生ぜず、歩行性に優れた保護層を熟練技術を要することなく、迅速、容易にしかも低コストで得ることができる。また、玉砂利等の色彩、成形板の配置、区画等の組み合わせにより意匠性および施工性に優れた防水層保護層を短い工期で得ることができる。
【図面の簡単な説明】
第１図は、この発明の１実施例を示す図で、同図（ａ）は、保護層の一部切欠斜視図、同図（ｂ）は、同上断面図、第２図はこの発明の他の実施例を示す一部切欠斜視図、第３図は第２図における各成形板の断面図、第４図ないし第９図はこの発明に係る保護層形成工法の１実施例における施工工程を示す図である。
図において、
Ａ．．．．．．．．．．保護層
２．．．．．．．．．．透水性保護層（混合材）
３．．．．．．．．．．成形板
３１．．．．．．．．．帯状成形板
３２．．．．．．．．．方形成形板
４．．．．．．．．．．防水層
５．．．．．．．．．．囲繞部